(57)【要約】  【課題】  電子書籍自体の構成を簡単なものとし、同一の書籍に対し種々の書籍情報を対応させることを可能とし、書籍のサイズや、使用状態にかかわらず書籍情報の再生を可能とする。  【解決手段】  電子タグ２が書籍ＩＤと頁ＩＤを含む識別情報を発信し、書籍情報検索手段６が識別情報に基づき書籍情報再生装置２０内に設けられた書籍情報格納手段５から該当する書籍情報を検索し、書籍情報再生手段７が検索された書籍データを再生する。また、同一の書籍ＩＤと頁ＩＤに対し利用者毎に異なる書籍情報を格納する構成とする。【選択図】  図１
2005115517.tif 000002
【特許請求の範囲】
【請求項１】
書籍を特定する書籍IDと書籍における頁を特定する頁IDを含む識別情報を発信する電子タグを備えた電子書籍と、前記識別情報に基づき前記電子書籍に関する書籍情報を書籍情報格納手段から再生する書籍情報再生装置とを備えた電子書籍システム。
【請求項２】
書籍を特定する書籍IDと書籍における頁を特定する頁IDを含む識別情報を発信する電子タグを有する電子書籍と、
電子書籍に対し識別情報の発信を要求する識別情報発信要求手段と、
前記識別情報発信要求手段からの要求に対応して電子書籍から発信された識別情報を受信する識別情報受信手段と、
電子書籍に関する書籍情報を格納した書籍情報格納手段と、
前記書籍情報格納手段に格納された書籍情報から前記識別情報受信手段により受信された識別情報に対応する書籍情報を検索する書籍情報検索手段と、
前記書籍情報検索手段により検索された書籍情報を再生する書籍情報再生手段を備えた書籍情報再生装置とを備えた電子書籍システム。
【請求項３】
前記書籍情報再生装置が、書籍情報を利用するユーザに関する情報を格納するユーザ情報格納手段を備え、前記書籍情報検索手段が前記識別情報受信手段により受信された識別情報と前記ユーザ情報格納手段に格納されたユーザ情報とに基づき再生する書籍情報を検索する請求項２記載の電子書籍システム。
【請求項４】
前記書籍情報再生装置が、書籍情報の再生回数を記憶する再生回数記憶手段を備え、前記書籍情報検索手段が前記識別情報受信手段により受信された識別情報と前記再生回数記憶手段に記憶された再生回数に基づき再生する書籍情報を検索する請求項２記載の電子書籍システム。
【請求項５】
前記書籍情報格納手段が、脱着可能なICカードからなる請求項１から４のいずれかに記載の電子書籍システム。
【請求項６】
前記書籍情報格納手段が、外部機器と情報の入出力を行う外部インターフェースを備え、前記書籍情報検索手段が前記外部インターフェースを介して入力された書籍情報を検索する請求項２から４のいずれかに記載の電子書籍システム。
【請求項７】
書籍に関する情報を再生する書籍情報再生装置からの信号に対し、前記書籍情報再生装置が再生すべき情報を特定するために使用される書籍を特定する書籍IDと書籍における頁を特定する頁IDを含む識別情報を発信する電子タグを備えた電子書籍。
【請求項８】
電子書籍に対し識別情報の発信を要求する識別情報発信要求手段と、前記識別情報発信要求手段からの要求に対応して電子書籍から発信された識別情報を受信する識別情報受信手段と、電子書籍に関する書籍情報を格納する書籍情報格納手段と、前記書籍情報格納手段に格納された書籍情報から前記識別情報受信手段により受信された識別情報に対応する書籍情報を検索する書籍情報検索手段と、前記書籍情報検索手段により検索された書籍情報を再生する書籍情報再生手段を有する書籍情報再生装置。
【請求項９】
書籍情報を利用するユーザに関する情報を格納するユーザ情報格納手段を備え、前記書籍情報検索手段が前記識別情報受信手段により受信された識別情報と前記ユーザ情報格納手段に格納されたユーザ情報とに基づき再生する書籍情報を検索する請求項８記載の書籍情報再生装置。
【請求項１０】
書籍情報の再生回数を記憶する再生回数記憶手段を備え、前記書籍情報検索手段が前記識別情報受信手段により受信された識別情報と前記再生回数記憶手段に記憶された再生回数に基づき再生する書籍情報を検索する請求項８記載の書籍情報再生装置。
【請求項１１】
前記書籍情報格納手段が、脱着可能なICカードからなる請求項８から１０のいずれかに記載の書籍情報再生装置。
【請求項１２】
前記書籍情報格納手段が、外部機器と情報の入出力を行う外部インターフェースを備え、前記書籍情報検索手段が前記外部インターフェースを介して入力された書籍情報を検索する請求項８から１０のいずれかに記載の書籍情報再生装置。
【請求項１３】
電子書籍から発信される書籍を特定する書籍IDと書籍における頁を特
定する頁IDを有する識別情報に対応して書籍情報再生装置により再生される書籍情報であって、同一の書籍ＩＤにおける同一の頁ＩＤに対し異なる再生データが利用者の種別毎に設けられている書籍情報を格納した記憶媒体。
【請求項１４】
電子書籍から発信される書籍を特定する書籍IDと書籍における頁を特定する頁IDを有する識別情報に対応して書籍情報再生装置により再生される書籍情報であって、同一の書籍ＩＤにおける同一の頁ＩＤに対し異なる再生データが再生回数毎に設けられている書籍情報を格納した記憶媒体。
【発明の詳細な説明】
【技術分野】
【０００１】
本発明は電子書籍に関し、特にICタグを用いた電子書籍、及び電子書籍に関する書籍情報を格納した記憶媒体、書籍情報を再生する書籍情報再生装置、及びこれらからなる電子書籍システムに関する。
【背景技術】
【０００２】
従来、書籍に関する電子情報を再生する書籍情報再生装置としては、写真集や絵本等に印刷されている絵にバーコードを付し、バーコードリーダーでなぞり映像や音を発生させるような、書籍自体に電子情報を格納しておき、書籍自体に設けられた再生手段を用いて電子情報を再生するものがあった（例えば特許文献１参照）。
【０００３】
また、電子情報や再生手段を書籍と分離して設けたものとして、特開平５−１３７８４６号公報には、書籍における電子情報が関連付けられた対象の位置情報を検出する位置情報検出手段を設け、対象の位置情報から再生すべき情報を特定し、書籍とは別に設けられた電子ブック読取装置内のROMより対応する情報を音声等として再生するものが開示されている。
【特許文献１】特開平５−７６７０号公報
【特許文献２】特開平５−１３７８４６号公報
【発明の開示】
【発明が解決しようとする課題】
【０００４】
しかしながら、従来の書籍自体に電子情報を格納するものでは、電子情報の書換えが困難であり、一つの書籍に対し一つの電子データが対応するのみで、書籍の利用範囲が格納された電子データにより限定されるという問題があった。また、電子書籍毎に再生手段が必要なため、電子書籍自体の構成が複雑になるという問題があった。
【０００５】
一方、書籍における電子情報が関連付けられた対象の位置情報を検出する位置情報検出手段を用いたものでは、書籍自体のサイズが位置情報検出手段の許容サイズ（例えばA４サイズ等）に限定され、さらに、位置検出手段に装着した状態でなければ情報を読み出すことが出来ず、汎用性と使い勝手に欠けるという問題がある。
【０００６】
また、従来の電子情報は固定した利用者のレベルを想定し、同一の書籍（書籍の頁や位置）に対し一意に決定されるものであり、一つの書籍を多数レベルの利用者で活用することや、同一の利用者に対し、その習熟度等を考慮して書籍情報を提供することが困難であるという問題がある。
【０００７】
本発明は、従来の問題を解決するためになされたもので、電子書籍自体の構成を簡単なものとし、同一の書籍に対し種々の書籍情報を対応させることを可能とし、書籍のサイズや、使用状態にかかわらず、また、利用者の習熟度等を考慮して書籍情報の再生を可能とする、電子書籍、書籍情報再生装置、書籍情報を格納した記憶媒体、及び電子書籍システムを提供することを目的とする。
【課題を解決するための手段】
【０００８】
本発明の電子書籍システムは、書籍を特定する書籍IDと書籍における頁を特定する頁I
Dを含む識別情報を発信する電子タグを備えた電子書籍と、電子書籍に対し識別情報の発信を要求する識別情報発信要求手段と、前記識別情報発信要求手段からの要求に対応して電子書籍から発信された識別情報を受信する識別情報受信手段と、電子書籍に関する書籍情報を格納する書籍情報格納手段と、前記書籍情報格納手段に格納された書籍情報から前記識別情報受信手段により受信された識別情報に対応する書籍情報を検索する書籍情報検索手段と、前記書籍情報検索手段により検索された書籍情報を再生する書籍情報再生手段を備えた構成となっている。
【０００９】
この構成により、電子書籍自体の構成を簡単なものとし、電子書籍のサイズや形状にかかわり無く、また、書籍情報再生装置の使用状態（電子書籍との位置関係等）にかかわらず、必要な書籍情報を再生することができ、使い勝手を向上させることができる。
【００１０】
また、本発明の電子書籍システムは、上記構成に加え、書籍情報再装置が、書籍情報を利用するユーザに関する情報を格納するユーザ情報格納手段を備え、書籍情報検索手段が識別情報受信手段により受信された識別情報と前記ユーザ情報格納手段に格納されたユーザ情報とに基づき再生する書籍情報を検索する構成となっている。
【００１１】
また、本発明の書籍情報を格納した記憶媒体は、同一の書籍ＩＤにおける同一の頁ＩＤに対し異なる再生データが利用者の種別毎に設けられている書籍情報を格納した構成となっている。
【００１２】
この構成により、同一の書籍に対し種種の書籍情報を対応させることができ、一つの書籍を多数レベルの利用者で活用することが可能となる。
【００１３】
また、本発明の電子書籍システムは、上記の構成に加え、書籍情報再生装置が、書籍情報の再生回数を記憶する再生回数記憶手段を備え、書籍情報検索手段が識別情報受信手段により受信された識別情報と前記再生回数記憶手段に記憶された再生回数に基づき再生する書籍情報を検索する構成となっている。
【００１４】
また、本発明の書籍情報を格納した記憶媒体は、同一の書籍ＩＤにおける同一の頁ＩＤに対し異なる再生データが再生回数毎に設けられている書籍情報を格納した構成となっている
この構成により、同一の利用者に対し、その習熟度等を考慮して書籍情報を提供することができる。
【発明の効果】
【００１５】
本発明は、電子書籍には書籍IDと頁IDとからなる識別情報を発信する電子タグだけを設け、書籍情報再生装置に識別情報受信手段、書籍情報格納手段を設けることにより簡単な構成の電子書籍に対し、電子書籍のサイズや形状、書籍情報再生装置の使用状態にかかわらず書籍情報の再生を可能とし、また、書籍情報再生装置にユーザ情報格納手段を備え、同一の書籍ＩＤにおける同一の頁ＩＤに対し異なる再生データを利用者の諸別毎に設けることにより、同一の書籍に対し種種の書籍情報を対応させることを可能とし、更に、再生回数記憶手段を設け、同一の書籍ＩＤにおける同一の頁ＩＤに対し異なる再生データを再生回数毎に設けることにより、利用者の習熟度等を考慮して書籍情報の再生をすることができる電子書籍システム、電子書籍、書籍情報再生装置、及び書籍情報を格納した記憶媒体を提供することができるものである。
【発明を実施するための最良の形態】
【００１６】
以下、本発明の実施の形態について図面を用いて説明する。
【００１７】
（実施の形態１）
図１は本発明の第１の実施に形態における電子書籍システムの構成を示すブロック図である。
【００１８】
電子書籍システムは、電子タグを備えた電子書籍１と、電子書籍１に関する書籍情報を再生する書籍情報再生装置２０から構成される。
【００１９】
図１において、電子書籍１は電子タグ２を備えており、電子タグ２には図２に示すように電子書籍を識別するための書籍IDと電子書籍における頁を特定するための頁IDを含む識別情報が格納されている。また、電子タグ２は書籍情報再生手段からの識別情報要求信号に対応して、格納されている識別情報を発信する機能を備えている。
【００２０】
書籍情報再生装置２０は、電子書籍１に対し識別情報の発信を要求する識別情報発信要求手段３と、識別情報発信要求手段３からの要求信号に対し電子書籍１の電子タグ２から発信される識別情報を受信する識別情報受信手段４とを備えている。書籍情報格納手段５は、書籍IDと頁IDに対応して電子書籍のデータが格納されおり、脱着可能なICカードにより構成されている。
【００２１】
書籍情報検索手段６は、書籍IDと頁IDを含む識別情報に対応する書籍情報を書籍情報格納手段５から検索するものである。書籍情報再生手段７は、書籍情報検索手段の検索結果得られる再生データを再生するものであり、本実施の形態では音声でデータを再生するスピーカーから構成される。
【００２２】
これらの構成要素は制御部によって制御される。尚、図１において太線はデータの流れを、細線は制御信号の流れを示している。
【００２３】
図２は、電子タグ２に格納されている識別情報のデータ形式を示す図である。書籍ID２０１は電子書籍を特定するためのユニークな識別IDであり、例えば、書籍のジャンルや、出版年月日、出版会社、版数等を示す情報から構成される。また、頁ID２０２は電子書籍中の頁を特定するIDである。
【００２４】
図３は、本実施の形態における書籍情報格納手段５に格納された書籍情報のデータ形式を示す図である。図３は２つの電子書籍の書籍情報を示しており、書籍ID“２００３＃６２＃７８９”で特定される電子書籍の第１頁には“ワンワン”という犬の泣き声の音声データが格納されており、書籍ID“２００２＃６２＃５６７”で特定される電子書籍の第１頁には“バウバウ”という犬の鳴き声の音声データが格納されていることを示している。
【００２５】
以上のように構成された電子書籍システムについて、その動作を説明する。
【００２６】
利用者は、電子書籍１の見たい頁を開き、書籍情報再生装置２０を近づける。書籍情報再生装置２０の識別情報発信要求手段３からは識別情報の発信を要求する要求信号が発信されており、この要求信号を受信した電子書籍１の電子タグ２は、電子タグ２に格納されている識別情報を発信する。発信された識別情報は識別情報受信手段４により受信され、書籍情報検索手段６が、書籍情報格納手段５に格納された書籍情報から受信された識別情報に対応する書籍情報を検索し、書籍情報再生手段７が検索された書籍情報を再生する。
【００２７】
例えば、電子書籍の書籍IDが“２００２＃６２＃５６７”であり、開いた頁が第１頁であれば、書籍情報再生手段７からは“バウバウ”という犬の鳴き声が音声として再生される。
【００２８】
尚、識別情報発信要求手段３からの要求信号は電磁波として発信され、電子タグ２からの識別情報も電磁波として発信される。また、電子タグ２の配置位置は頁が開かれた状態で要求信号が受信される位置であれば自由な場所に設置することができる。
【００２９】
以上のように、本発明の第１の実施の形態の電子書籍システムでは、電子書籍自体に書籍情報や書籍情報再生手段を備える必要はなく、電子書籍自体の構成を簡単なものとし、電子書籍のサイズや形状にかかわり無く、また、書籍情報再生装置の使用状態（電子書籍との位置関係等）に係わらず、必要な書籍情報を再生することができ、使い勝手を向上させることができる。
【００３０】
なお、再生データとして、本実施の形態では音声データを対象としているが、再生データは音声データに限定されることはなく、静止画データや動画データでもよく、書籍情報再生手段は再生データの形式に対応させ、止画再生機能や動画再生機能を備えた構成としてもよい。
【００３１】
また、電子タグは全ての頁、または、奇数頁や偶数頁、必要な頁のみに対応して設けることも可能であり、本実施の形態では利用者からは見えない形で頁の内部に設けられた場合を説明したが、必要に応じて電子タグの有無を頁の表面にマークし、電子タグの存在を利用者に明示する形式としてもよい。
【００３２】
また、書籍情報格納手段５を脱着可能なICカードとして構成したが、書籍情報格納手段に外部インターフェースを設け、書籍情報をインターネット等からダウンロードする構成としてもよい。（実施の形態２）
次に、本発明の第２の実施の形態における電子書籍システムについて説明する。
【００３３】
図４は本発明の第２の実施の形態における電子書籍システムの構成を示すブロック図である。図１と同じ構成部分に関しては同一の符号を付し、その説明を省略する。
【００３４】
図１の構成と異なる点は、図１の構成に加え、書籍情報再生装置３０において、書籍情報の検索条件としてユーザに関する情報を格納するユーザ情報格納手段９と、ユーザ情報格納手段９に格納されたユーザ情報を特定するための入力手段１０とを設けた点である。
【００３５】
図５はユーザ情報格納手段に格納されたユーザ情報のデータ形式を示す図である。
【００３６】
本実施の形態では、ユーザ情報としてユーザの属性である“年齢、国籍”によりユーザ１からユーザ３までの３種類が予め分類されている。
【００３７】
図６は書籍情報格納手段５に格納された書籍情報のデータ形式を示すものである。図３に示すデータ形式と異なる点は、同一の書籍ＩＤにおける同一の頁ＩＤに対し異なる再生データがユーザＩＤ毎に設けられている点である。
【００３８】
以上のように構成された電子書籍システムについて、その動作を説明する。
【００３９】
利用者はユーザ情報格納手段９に格納されたユーザ情報から自分に適したユーザ情報を入力手段１０により特定する。書籍情報検索手段６は電子書籍１の電子タグ２から発信される識別情報と利用者が特定したユーザ情報とに基づき、書籍情報格納手段５に格納された書籍情報を検索し、書籍再生手段７が検索された書籍情報を再生する。
【００４０】
例えば、利用者がユーザ情報としてユーザ１（１０歳以下、日本人）を特定した場合、電子タグ２より受信した識別情報である“書籍ID＝２０３＃６２＃７８８、頁ID＝１”に
対し、再生データ“ワンワン”が検索され、書籍情報再生手段７により犬の鳴き声が音声“ワンワン”として再生される。
【００４１】
一方、利用者がユーザ情報としてユーザ２（１０歳以下、米国人）を特定した場合には、同じ書籍の同じ頁に対し、再生データ“バウバウ”が検索され、音声として再生される。
【００４２】
以上のように本実施の形態では、書籍情報を利用するユーザに関する情報を格納するユーザ情報格納手段９を設け、同一の頁ＩＤに対し異なる再生データをユーザ情報毎に備えた書籍情報を用いることにより、同一の書籍に対し種種の書籍情報を対応させることができ、一つの書籍を多種類の利用者で活用することが可能となる。
【００４３】
尚、本実施の形態では利用者が入力手段５により、ユーザIDを直接入力するものとして構成したが、利用者がユーザ情報の属性を入力し、入力された属性からユーザIDを特性する構成としてもよい。
【００４４】
（実施の形態３）
次に、本発明の第３の実施の形態における電子書籍システムについて説明する。
【００４５】
図７は本発明の第３の実施の形態における電子書籍システムの構成を示すブロック図である。図１と同じ構成部分に関しては同一の符号を付し、その説明を省略する。
【００４６】
図１の構成と異なる点は、図１の構成に加え、書籍情報再生装置４０に、書籍データを再生した回数を書籍ID,頁ID毎に記憶する再生回数記憶手段１１を設けた点である。
【００４７】
また、図８は書籍情報格納手段５に格納された書籍情報のデータ形式を示すものであり、図３に示すデータ形式と異なる点は、同一の頁ＩＤに対し再生回数毎に異なる再生データが設けられている点である。
【００４８】
以上のように構成された電子書籍システムについて、その動作について、書籍情報再生装置４０が書籍IDが２００３＃６２＃９９９の第１頁の書籍データを再生する場合を例に説明する。
【００４９】
書籍情報検索手段６は識別情報として書籍IDと頁IDとを電子タグ２から受信すると、再生回数記憶手段１１から受信した書籍ID、頁IDに該当する再生回数を検索する。以前に再生したことがない場合は、再生回数記憶手段１１には該当する識別情報に対応する再生回数は記憶されていない。この場合、書籍情報検索手段６は、再生回数＝１として、書籍情報格納手段から書籍IDが２００３＃６２＃９９９、頁ID=１、再生回数＝１の書籍データ“ワンワン”を検索し、書籍情報再生手段７が“ワンワン”を音声として再生する。また、書籍情報検索手段６は再生回数記憶手段１１に、ID＝２００３＃６２＃９９９、頁ID=１、再生回数＝１を記憶する。
【００５０】
２回目に、書籍IDが２００３＃６２＃９９９の第１頁の書籍データを再生する場合、書籍情報検索手段６は、再生回数記憶手段１１から“ID＝２００３＃６２＃９９９、頁ID=１”の再生回数として「１」を検索する。その結果、書籍情報検索手段６は、検索条件としてID＝２００３＃６２＃９９９、頁ID=１に対し、再生回数＝２を設定し、２回目に再生すべき書籍データとして“ワン”を検索し、書籍情報再生手段７が“ワン”を音声として再生する。
【００５１】
以上のように本実施の形態では、書籍情報再生装置４０が、書籍情報の再生回数を記憶
する再生回数記憶手段１１を備え、書籍情報検索手段６が識別情報受信手段４により受信された識別情報と再生回数記憶手段１１に記憶された再生回数に基づき再生する書籍情報を検索することにより、同一の利用者に対し、その習熟度等を考慮して書籍情報を提供することができる。
【産業上の利用可能性】
【００５２】
以上のように本発明にかかる電子書籍、書籍情報再生装置、書籍情報を格納した記憶媒体、及び電子書籍システムは、電子書籍自体の構成を簡単なものとし、同一の書籍に対し種種の書籍情報を対応させることを可能とし、書籍のサイズや、使用状態にかかわらず、また、利用者の習熟度等を考慮して書籍情報の再生を可能とするという効果を有し、電子書籍の分野において有用である。
【図面の簡単な説明】
【００５３】
【図１】本発明の第１の実施の形態における電子書籍システムのブロック図
【図２】本発明の第１の実施の形態における識別情報の概念図
【図３】本発明の第１の実施の形態における書籍情報の概念図
【図４】本発明の第２の実施の形態における電子書籍システムのブロック図
【図５】本発明の第２の実施の形態におけるユーザ情報の概念図
【図６】本発明の第２の実施の形態における書籍情報の概念図
【図７】本発明の第３の実施の形態における電子書籍システムのブロック図
【図８】本発明の第３の実施の形態における書籍情報の概念図
【符号の説明】
【００５４】
１  電子書籍
２  電子タグ
３  識別情報発信要求手段
４  識別情報受信手段
５  書籍情報格納手段
６  書籍情報検索手段
７  書籍情報再生手段
８  制御部
９  ユーザ情報格納手段
１０  入力手段
１１  再生回数記憶手段
【図１】
2005115517.tif 000003
【図２】
2005115517.tif 000004
【図３】
2005115517.tif 000005
【図４】
2005115517.tif 000006
【図５】
2005115517.tif 000007
【図６】
2005115517.tif 000008
【図７】
2005115517.tif 000009
【図８】
2005115517.tif 000010